(57)【要約】【課題】クリップを正しい姿勢で安定して取り付けることが可能で、また取り付けられたクリップが外れることを抑制可能なクリップ取付け座を提供する。【解決手段】取付け座面部３０と、下方に延設された立壁部４０と、を備えたクリップ取付け座１０であって、取付け座面部３０は、取付孔３８と、取付孔３８における孔縁３８Ｆが切り欠かれることで形成された座面側挿入開口３３と、を備え、立壁部４０は、座面側挿入開口３３と連通する立壁側挿入開口４４を備えた挿入立壁部４５を有し、挿入立壁部４５には、クリップ挿入時にその挿入方向をガイドするガイド片５０が設けられ、ガイド片５０は、挿入立壁部４５から取付孔３８に向かって延びるとともに、その先端５１における厚みＬ５が、クリップ８０の脚部８９とクリップ側座面部８２との離間幅Ｌ８よりも大きく設定されていることを特徴とする。【選択図】図６
2019060430.tif 000002
【特許請求の範囲】
【請求項１】
クリップが取り付けられるクリップ取付け座であって、
取付け座面部と、
前記取付け座面部における外周縁から下方に延設された立壁部と、を備え、
前記取付け座面部は、前記クリップが取り付けられる取付孔と、前記取付孔における孔縁の一部が切り欠かれることで形成され、前記クリップを挿入する座面側挿入開口と、を備え、
前記立壁部は、前記座面側挿入開口と連通する立壁側挿入開口を備えた挿入立壁部を有し、
前記挿入立壁部における前記立壁側挿入開口に臨む位置、かつ挿入方向について前記座面側挿入開口に対向する位置には、クリップ挿入時にその挿入方向をガイドするガイド片が設けられ、
前記クリップは、その下端に、当該クリップの軸方向と交差する向きに延びるフランジ状の脚部を備えるとともに、前記脚部から当該クリップにおける上端方向に離間した位置に、当該クリップの軸方向と交差する向きに延びるフランジ状のクリップ側座面部を備え、
前記ガイド片は、前記挿入立壁部から前記取付孔に向かって延びるとともに、その先端における厚みが、前記脚部と前記クリップ側座面部との離間幅よりも大きく設定されていることを特徴とするクリップ取付け座。
【請求項２】
前記ガイド片は、その延設方向における先端が、前記取付孔側に屈曲して設けられていることを特徴とする請求項１に記載のクリップ取付け座。
【発明の詳細な説明】
【技術分野】
【０００１】
本発明は、クリップ取付け座に関する。
【背景技術】
【０００２】
従来、クリップが取り付けられるクリップ取付け座として、下記特許文献１に記載のものが知られている。具体的には、クリップ取付け座３の座面部２５にはクリップ１を係止する係止孔２７が形成されている。この係止孔２７と連続して、クリップ１の挿入基部１３を挿入する挿入孔２９が開口されており、当該挿入孔２９を通じてクリップ１は係止孔２７内に挿入される構成とされている。また、クリップ取付け座３は、挿入孔２９付近においてストッパー片部３５を有し、一旦取り付けられたクリップ１が座面部２５から抜け出てしまうことを阻止している。
【先行技術文献】
【特許文献】
【０００３】
【特許文献１】特開２００９−２９９８５０号公報
【発明の概要】
【発明が解決しようとする課題】
【０００４】
上記の構成において、ストッパー片部３５は、挿入孔２９と対向するクリップ取付け座３の脚部２１上端から挿入孔２９に向かって延設されており、クリップ挿入時には、クリップ１がストッパー片部３５を弾性的に下方に押し倒して係止孔２７内に挿入される。しかしながら、ストッパー片部３５は幅狭かつ厚みが小さくに形成されているため、クリップ１がストッパー片部３５を押圧する際の挿入荷重や挿入方向を制御しにくく、クリップ１が挿入孔２９に対して真っすぐ挿入されず座面部２５に対して斜めに係止されてしまう虞がある。また、そのような挿入不良が起こると、一旦係止されたクリップ１が座面部２５から外れやすくもなる。
【０００５】
本発明は上記のような事情に基づいて完成されたものであって、クリップを正しい姿勢で安定して取り付けることが可能で、また取り付けられたクリップが外れることを抑制可能なクリップ取付け座を提供することを目的とする。
【課題を解決するための手段】
【０００６】
上記課題を解決するために、本発明は、クリップが取り付けられるクリップ取付け座であって、取付け座面部と、前記取付け座面部における外周縁から下方に延設された立壁部と、を備え、前記取付け座面部は、前記クリップが取り付けられる取付孔と、前記取付孔における孔縁の一部が切り欠かれることで形成され、前記クリップを挿入する座面側挿入開口と、を備え、前記立壁部は、前記座面側挿入開口と連通する立壁側挿入開口を備えた挿入立壁部を有し、前記挿入立壁部における前記立壁側挿入開口に臨む位置、かつ挿入方向について前記座面側挿入開口に対向する位置には、クリップ挿入時にその挿入方向をガイドするガイド片が設けられ、前記クリップは、その下端に、当該クリップの軸方向と交差する向きに延びるフランジ状の脚部を備えるとともに、前記脚部から当該クリップにおける上端方向に離間した位置に、当該クリップの軸方向と交差する向きに延びるフランジ状のクリップ側座面部を備え、前記ガイド片は、前記挿入立壁部から前記取付孔に向かって延びるとともに、その先端における厚みが、前記脚部と前記クリップ側座面部との離間幅よりも大きく設定されていることを特徴とする。
【０００７】
このようなクリップ取付け座によると、クリップを、立壁側挿入開口及び座面側挿入開口を通じて取付け座面部の取付孔内へ挿入可能となる。また、挿入立壁部には、立壁側挿入開口に臨む位置、かつ挿入方向について座面側挿入開口に対向する位置に、クリップ挿入時にその挿入方向をガイドするガイド片が取付孔に向かって設けられているため、クリップを所望の方向へとガイドし、挿入不良を抑制することができる。
【０００８】
また、このガイド片は、挿入立壁部から取付孔に向かって延びるとともに、その先端における厚みが、クリップの脚部とクリップ側座面部との離間幅よりも大きく設定されているため、一旦取付孔内に取り付けられたクリップが、取付け座面部から脱落してしまうことを防止可能となる。具体的には、クリップの脚部がガイド片における先端に当接することで、ガイド片がストッパーとなり、取付け座面部から脱落しようとするクリップを押し戻すことができ、クリップの脱落防止に寄与する。また、ガイド片における先端が、クリップの脚部とクリップ側座面部との間に入り込みにくいため、その分クリップが取付孔外へ位置ずれすることも回避でき、より理想の姿勢で取付孔内に保持されることとなる。
【０００９】
上記クリップ取付け座において、前記ガイド片は、その延設方向における先端が、前記取付孔側に屈曲して設けられているものとすることができる。通常、ガイド片の延設方向における先端が、取付孔側に屈曲して設けられている場合、一旦取り付けられたクリップが取付孔内から脱落しかける際、クリップの脚部とクリップ側座面部との間にガイド片の先端（屈曲した先）が入り込みやすく、その移動の分だけクリップの位置ずれを起こす原因となる。しかしながら、本願発明では、その先端における厚みが、クリップの脚部とクリップ側座面部とによって形成される離間幅よりも大きく設定されているため、そのような不都合を回避できる。
【発明の効果】
【００１０】
本発明によれば、クリップを正しい姿勢で安定して取り付けることが可能で、また取り付けられたクリップが外れることを抑制可能なクリップ取付け座を提供することができる。
【図面の簡単な説明】
【００１１】
【図１】本発明の一実施形態に係るクリップ取付け座の斜視図
【図２】クリップが取り付けられる前の状態（クリップの脚部がガイド片に当接した状態）を示す断面図（図１におけるＸ−Ｘ線切断箇所に相当）
【図３】クリップが取り付けられる過程（クリップがガイド片を弾性変形させた状態）を示す断面図（図１におけるＸ−Ｘ線切断箇所に相当）
【図４】図３における状態を、クリップ取付け座の上方から視た平面図（クリップについては脚部のみを模式的に図示）
【図５】クリップが取付孔内に取り付けられた状態を示す断面図（図１におけるＸ−Ｘ線切断箇所に相当）
【図６】ガイド片がクリップの脱落を抑制する態様（クリップの脚部がガイド片の先端面に当接した状態）を示す断面図
【発明を実施するための形態】
【００１２】
本発明の一実施形態を図１〜図６を参照しつつ詳細に説明する。本実施形態では、クリップが取り付けられるクリップ取付け座の一例について説明し、特にはクリップが、車両に搭載される車両用ドアトリムを車両のドアインナパネルに取り付ける際に用いられるものについて説明する。なお、以下の説明において、上下方向とは、紙面上の上下方向を示すものとする。
【００１３】
クリップ取付け座１０は、車両用ドアトリムを構成するトリムボード（不図示）における車室外側面に複数設けられている。トリムボード及びクリップ取付け座１０は、例えばポリプロピレンなどの合成樹脂を射出成形することによって一体的に成形されている。このクリップ取付け座１０に取り付けられたクリップ８０によって、トリムボードは車両のドアインナパネルＰ（図６参照）に対して取り付けられる。クリップ取付け座１０は、図１に示すように、取付け座面部３０と、取付け座面部３０における外周縁３９から下方に延設された立壁部４０と、を備えている。取付け座面部３０は、クリップ８０が取り付けられる取付孔３８と、取付孔３８における孔縁３８Ｆの一部が切り欠かれることで形成され、クリップ８０が挿入される座面側挿入開口３３と、を備えている。
【００１４】
立壁部４０は筒状をなし、座面側挿入開口３３と連通する立壁側挿入開口４４を備えた挿入立壁部４５を有している。立壁部４０は、取付け座面部３０における外周縁３９の形状に沿ってその外面が湾曲する形状をなす中、挿入立壁部４５については、平らな壁部とされている。この挿入立壁部４５における上方に立壁側挿入開口４４は設けられ、当該立壁側挿入開口４４に臨む位置、かつクリップ８０の挿入方向Ｙ１について座面側挿入開口３３に対向する位置には、クリップ挿入時にその挿入方向Ｙ１をガイドするガイド片５０が設けられている。つまり、ガイド片５０は、座面側挿入開口３３に対して正面となる位置に設けられており、取付孔３８と座面側挿入開口３３とガイド片５０とは平面視において同一線上に設けられている（図４参照）。
【００１５】
ガイド片５０は、挿入立壁部４５における上端４６から座面側挿入開口３３及び取付孔３８に向かって斜め上方に延設されている。具体的には、ガイド片５０の延設方向における先端５１が、取付孔３８側になだらかに屈曲して設けられており、ガイド片５０は取付け座面３０に対し傾斜面５５とされている。ガイド片５０の先端５１における幅Ｗ５は、その基部５２よりも幅広に設定されており、かつ、座面側挿入開口３３の開口幅Ｗ３よりも大きく設定されている（図４参照）。また、ガイド片５０における先端面５１Ｍの厚みＬ５は、後述するクリップ８０における脚部８９と第２座面部（クリップ側座面部）８２との離間幅Ｌ８よりも大きく設定されている（図５参照）。ガイド片５０の高さ（長さ）は、その上端面５１Ａが、取付け座面部３０の上面３０Ａと略同一線上となる高さとされている（図２参照）。
【００１６】
クリップ８０は、図２の断面視に示すように、頭部８５と、軸部８８と、脚部８９とを備え、下端の脚部８９から当該クリップ８０における上端方向に所定の距離だけ離間した位置に第１座面部８１と、第２座面部（クリップ側座面部）８２とを備えている。第１座面部８１と、第２座面部８２と、脚部８９は、いずれも軸部８８からクリップ８０の軸方向と交差する向きにフランジ状に形成され、平面視円形状をなす（脚部８９については図４参照）。
【００１７】
続いて、クリップ８０の取り付け態様について説明する。クリップ８０をクリップ取付け座１０に取り付ける際には、クリップ８０の脚部８９を、ガイド片５０の傾斜面５５に当接させる（図２参照）。そして、クリップ８０を更にＹ１方向かつ水平方向に移動させると、クリップ８０の脚部８９がガイド片５０を下方に押して弾性変形させつつ（図３参照）当該ガイド片５０を乗り越え、クリップ８０は立壁側挿入開口４４、座面側挿入開口３３を通じて取付孔３８内へと真っすぐ挿入される（図５参照）。このとき、ガイド片５０は傾斜面５５とされているため、クリップ８０がその上を摺動しやすい。また、ガイド片５０は、座面側挿入開口３３に対して正面となる位置に設けられており、取付孔３８と座面側挿入開口３３とガイド片５０とは平面視において同一線上に設けられているため、クリップ８０が座面側挿入開口３３や取付孔３８に対して例えば斜め方向から挿入される事態を防ぐことができる。
【００１８】
また、特に幅広く設定された先端５１がクリップ８０の底面８６、ひいては挿入荷重を安定して支えることで、挿入過程においてクリップ８０が傾いてしまったり、取付孔３８に対する挿入位置がずれてしまう事態を軽減できる。クリップ８０は、その軸部８８が取付孔３８内に挿入され、第２座面部（クリップ側座面部）８２が、取付け座面部３０の上面３０Ａに載るように、つまり、第２座面部８２と脚部８９とで取付け座面部３０を挟み込むように、取付け座面部３０に固定される。
【００１９】
図６に示すように、仮に、クリップ取付け座１０に取り付けられた状態のクリップ８０にＹ２方向の力が加わり、クリップ８０が取付け座面部３０から座面側挿入開口３３を通って脱落しかけても、挿入立壁部４５における上端４６から座面側挿入開口３３及び取付孔３８に向かって斜めに延設されたガイド片５０がストッパーの役割を果たし、クリップ８０が取付け座面部３０から脱落してしまうことを阻止できる。特に、ガイド片５０における先端面５１Ｍの厚みＬ５は、クリップ８０における脚部８９と第２座面部（クリップ側座面部）８２との離間幅Ｌ８よりも大きく設定されているため、脱落しようとするクリップ８０の脚部８９が、ガイド片５０の先端面５１Ｍに当接して留まることとなる。また、ガイド片５０の先端５１における幅Ｗ５は、座面側挿入開口３３の開口幅Ｗ３よりも大きく設定されているため、座面側挿入開口３３を通って脱落しようとするクリップ８０の脚部８９の一部が、ガイド片５０の先端面５１Ｍに当接しやすい構成とされている。
【００２０】
＜作用・効果＞
上記実施形態に示したようなクリップ取付け座１０によると、クリップ８０を、立壁側挿入開口４４及び座面側挿入開口３３を通じて取付け座面部３０の取付孔３８内へ挿入可能となる。また、挿入立壁部４５には、立壁側挿入開口４４に臨む位置、かつ挿入方向について座面側挿入開口３３に対向する位置に、クリップ挿入時にその挿入方向をガイドするガイド片５０が取付孔３８に向かって設けられているため、クリップ８０を所望の方向へとガイドし、挿入不良を抑制することができる。
【００２１】
また、通常ガイド片５０の幅が広くなると、クリップ挿入時にクリップ８０が最初に当接する際にクリップ８０の位置ずれが生じやすいところ、本願発明では、ガイド片５０は取付け座面３０に対し傾斜するように設けられているため、クリップ８０の挿入方向Ｙ１をガイドしやすく、取付孔３８に対しても正しい姿勢でクリップ８０を取り付けることが可能となる。このようにクリップ８０の挿入不良を抑制するだけでなく、取付孔３８内に正しい姿勢で取り付けられることにより、一旦取付孔３８内に取り付けられたクリップ８０が取付け座面部３０から脱落しにくいものとなる。
【００２２】
また、ガイド片５０は、挿入立壁部４５から取付孔３８に向かって延びるとともに、その先端５１における厚みＬ５が、クリップ８０の脚部８９とクリップ側座面部（第２座面部）８２との離間幅Ｌ８よりも大きく設定されているため、一旦取付孔３８内に取り付けられたクリップ８０が、取付け座面部３０から脱落してしまうことを抑制可能となる。具体的には、クリップ８０の脚部８９がガイド片５０における先端面５１Ｍに当接することで、ガイド片５０がストッパーとなり、取付け座面部３０から脱落しようとするクリップ８０を押し戻すことができ、クリップ８０の脱落防止に寄与する。また、ガイド片５０における先端５１が、クリップ８０の脚部８９とクリップ側座面部８２との間に入り込みにくいため、その分クリップ８０が取付孔３８外へ位置ずれすることも回避でき、より理想の姿勢で取付孔３８内に保持されることとなる。
【００２３】
通常、ガイド片５０の延設方向における先端５１が、取付孔３８側に屈曲して設けられている場合、一旦取り付けられたクリップ８０が取付孔３８内から脱落しかける際、クリップ８０の脚部８９とクリップ側座面部８２との間にガイド片５０の先端５１（屈曲した先）が入り込みやすく、その移動の分だけクリップ８０の位置ずれを起こす原因となる。しかしながら、本願発明では、その先端５１における厚みＬ５が、クリップ８０の脚部８９とクリップ側座面部８２とによって形成される離間幅Ｌ８よりも大きく設定されているため、そのような不都合を回避できる。
【符号の説明】
【００２４】
１０…クリップ取付け座、３０…取付け座面部、３３…座面側挿入開口、３８…取付孔、３８Ｆ…取付孔における孔縁、３９…取付け座面部３０における外周縁、４０…立壁部、４４…立壁側挿入開口、４５…挿入立壁部、５０…ガイド片、５１…ガイド片５０の先端、８０…クリップ、８２…第２座面部（クリップ側座面部）、８９…脚部、Ｌ５…ガイド片５０の先端５１における厚み、Ｌ８…脚部８９と第２座面部（クリップ側座面部）との離間幅
【図１】
2019060430.tif 000003
【図２】
2019060430.tif 000004
【図３】
2019060430.tif 000005
【図４】
2019060430.tif 000006
【図５】
2019060430.tif 000007
【図６】
2019060430.tif 000008